(57)【特許請求の範囲】
【請求項１】
ケースと、
前記ケース内に収容されており、正極電極及び負極電極を備えている電極組立体と、
前記ケースの内外を通じており、貫通孔を有する電極端子と、
前記ケース内に収容されており、前記電極端子に固定されているとともに、前記ケース内の圧力が所定値を超えたときに前記電極端子と前記正極又は前記負極とを導通状態から非導通状態に切換える電流遮断装置と、
前記貫通孔を封止している封止栓と、を備えており、
前記封止栓は、
金属部と、その金属部の表面に設けられている樹脂部を有しており、
前記貫通孔に挿入されている挿入部と、前記貫通孔の外部に位置するとともに前記貫通孔よりサイズが大きい拡張部とを含み、
前記樹脂部が、前記挿入部の周面に、前記挿入部を一巡して設けられている、蓄電装置。
【請求項２】
前記樹脂部が、前記貫通孔内において前記電極端子に溶着されている請求項１に記載の蓄電装置。
【請求項３】
さらに、前記樹脂部が、前記拡張部の前記貫通孔側の面に、前記挿入部を一巡して設けられている、請求項１又は２に蓄電装置。
【請求項４】
ケースと、
前記ケース内に収容されており、正極電極及び負極電極を備えている電極組立体と、
前記ケースの内外を通じており、貫通孔を有する電極端子と、
前記ケース内に収容されており、前記電極端子に固定されているとともに、前記ケース内の圧力が所定値を超えたときに前記電極端子と前記正極又は前記負極とを導通状態から非導通状態に切換える電流遮断装置と、
前記貫通孔を封止している封止栓と、を備えており、
前記封止栓は、
金属部と、その金属部の表面に設けられている樹脂部を有しており、
前記貫通孔に挿入されている挿入部と、前記貫通孔の外部に位置するとともに前記貫通孔よりサイズが大きい拡張部とを含み、
前記樹脂部が、前記拡張部の前記貫通孔側の面に、前記挿入部を一巡して設けられている、蓄電装置。
【請求項５】
前記樹脂部が、前記貫通孔の外部において前記電極端子に溶着されている請求項３又は４に記載の蓄電装置。
【請求項６】
前記金属部が、前記電極端子に溶接されている請求項１から５のいずれか一項に記載の蓄電装置。
【請求項７】
前記金属部が、前記電極端子の材料を構成している元素と同じ元素を含んでいる請求項１から６のいずれか一項に記載の蓄電装置。
【請求項８】
前記金属部が、銅系の材料である請求項１から７のいずれか一項に記載の蓄電装置。
【請求項９】
前記蓄電装置が、二次電池である請求項１から８のいずれか一項に記載の蓄電装置。 
【発明の詳細な説明】
【技術分野】
【０００１】
本明細書は、電流遮断装置を備えている蓄電装置に関する技術を開示する。
【背景技術】
【０００２】
蓄電装置の技術分野では、蓄電装置が過充電されたり、内部で短絡が発生したときに、電極端子間（正極端子と負極端子）に流れる電流を遮断する電流遮断装置の開発が進められている。特許文献１の電流遮断装置は、ケースの内外の圧力差を利用して駆動する。具体的には、ケース内の圧力が所定値を超えたときに、電流遮断装置が駆動し、電流経路が遮断される。特許文献１の電極端子は、貫通孔を有するリベットタイプであり、ケースにかしめ固定されている。特許文献１の蓄電装置では、ゴム栓が、リベットタイプの電極端子の貫通孔内に挿入されている。
【先行技術文献】
【特許文献】
【０００３】
【特許文献１】特開２０１０−２１２０３４号公報
【発明の概要】
【発明が解決しようとする課題】
【０００４】
特許文献１の蓄電装置は、電極端子の貫通孔内にゴム栓を挿入することにより、製造の際に、液体（電解液，洗浄水等）が、貫通孔を通じて電流遮断装置に付着することを防止している。電流遮断装置への液体の付着を防止することにより、電流遮断装置が劣化することを抑制している。貫通孔内にゴム栓を挿入することにより、大量の水分が貫通孔を通じて電流遮断装置に付着することは防止できる。しかしながら、特許文献１の蓄電装置では、ゴム栓内部を通過する水分が電流遮断装置に付着することを防止できない。そのため、特許文献１の蓄電装置では、水分の付着に起因する電流遮断装置の劣化を、長期間に亘って防止することができない。本明細書は、信頼性の高い電流遮断装置を備えた蓄電装置を実現する技術を提供する。
【課題を解決するための手段】
【０００５】
本明細書で開示する蓄電装置は、ケースと、電極組立体と、電極端子と、電流遮断装置と、封止栓を備えている。電極組立体は、ケース内に収容されており、正極電極及び負極電極を備えている。電極端子は、ケースの内外を通じており、貫通孔を有している。電流遮断装置は、ケース内に収容されており、電極端子に固定されている。電流遮断装置は、ケース内の圧力が所定値を超えたときに、電極端子と正極電極又は負極電極とを導通状態から非導通状態に切換える。封止栓は、電極端子の貫通孔を封止している。封止栓は、金属部と、金属部の周囲を覆っている樹脂部を有している。
【０００６】
上記の蓄電装置では、封止栓が、金属部と、金属部の周囲を覆っている樹脂部を有している。金属は、樹脂と比較して、水分透過率が極めて小さい。そのため、金属部と樹脂部を有する封止栓を用いることにより、従来の蓄電装置と比較して、封止栓の内部を通過する水分を大幅に減少させることができる。なお、水分透過率が低いという点に着目すると、金属製の封止栓を用いることもできる。しかしながら、金属製の封止栓では、貫通孔と封止栓の間に隙間が生じる。その隙間をシールするために、封止栓を貫通孔（電極端子）に溶接する等の作業が必要とされる。溶接熱により、蓄電装置の他の部品に悪影響を及ぼすことがある。上記の封止栓であれば、封止栓内部を水分が通過することを抑制しながら、溶接等を行うことなく封止栓と貫通孔の隙間をシールすることができる。蓄電装置の外部から貫通孔を通過して蓄電装置の内部に侵入する水分が大幅に減少し、信頼性の高い電流遮断装置を備えた蓄電装置を実現することができる。
【図面の簡単な説明】
【０００７】
【図１】第１実施例の蓄電装置の断面図を示す。
【図２】図１の破線IIで囲った範囲の拡大図を示す。
【図３】封止栓の斜視図を示す。
【図４】第２実施例の蓄電装置の特徴部分を示す。
【発明を実施するための形態】
【０００８】
以下、本明細書で開示する蓄電装置の技術的特徴の幾つかを記す。なお、以下に記す事項は、各々単独で技術的な有用性を有している。
【０００９】
蓄電装置は、ケースと、電極組立体と、電極端子と、電流遮断装置と、封止栓を備えている。電極組立体は、ケース内に収容されており、正極電極及び負極電極を備えていてよい。電極端子は、ケースの内外を通じていてよい。すなわち、電極端子の一部がケースの外部に位置しており、電極端子の他の一部がケースの内部に位置していてよい。電極端子は、貫通孔を備えていてよい。貫通孔の一方の開口がケース外部に位置し、他方の開口がケース内部に位置していてよい。電極端子は、ケースの内部でケースの壁面に沿って広がる基部と、ケースの内外を通じている軸部と、ケースの外部でかしめ変形されたかしめ部を備えていてよい。負極電極の材料は、銅，銅合金，ニッケルであってよい。
【００１０】
電流遮断装置は、ケース内に収容されていてよい。また、電流遮断装置は、電極端子（負極端子または正極端子）に固定されていてよい。電流遮断装置は、負極端子と負極電極に電気的に接続されていてよい。この場合、電流遮断装置は、負極端子と負極電極の通電経路上に配置され、ケースの内圧が所定値を超えたときに、負極端子と負極電極を導通状態から非導通状態に切換える。あるいは、電流遮断装置は、正極端子と正極電極に電気的に接続されていてもよい。この場合、電流遮断装置は、正極端子と正極電極の通電経路上に配置され、ケースの内圧が所定値を超えたときに、正極端子と正極電極を導通状態から非導通状態に切換える。
【００１１】
電流遮断装置は、通電板と、変形板を備えていてよい。通電板は、電極端子の基部と間隔を有して基部に対向する位置に配置されていてよい。通電板は、変形板と電極組立体の間に配置されていてよい。変形板は、電極端子に固定されていてよい。具体的には、変形板の端部が電極端子に固定されていてよい。変形板によって、電極端子の貫通孔が覆われていてよい。変形板の中央部は、通電板に向けて突出し、通電板に固定されていてよい。変形板は、ケース内の圧力が所定値を超えたときに作動し、通電板と非接触になってもよい。変形板は、ケース内の圧力が所定値を超えたときに通電板から離れるように反転してもよい。ケース内の圧力が所定値を超えたときに通電板の中央部が破断し、変形板が通電板から離れてもよい。通電板の中央部に、ケース内の圧力が所定値を超えたときに破断の起点となる溝（破断溝）が設けられていてもよい。破断溝は、通電板の中央部を、連続的又は断続的に囲っていてもよい。変形板の中央部は、破断溝に囲まれた位置で通電板に固定されていてもよい。
【００１２】
電流遮断装置は、２個の変形板（第１変形板，第２変形板）を備えていてよい。この場合、通電板が、第１変形板と第２変形板の間に設けられていてよい。第２変形板は、通電板と電極組立体の間に設けられていてよい。第２変形板の通電板側に、通電板に向けて突出している突起が設けられていてよい。すなわち、第２変形板は、通電板に対して第１変形板とは反対側に配置されているとともに、通電板に向けて突出している突起を通電板側に備えていてよい。突起が、通電板から離れた状態で、破断溝に囲まれた部分に対向していてもよい。
【００１３】
封止栓は、電極端子の貫通孔に挿入されていてよい。また、封止栓は、金属部と、その金属部の周囲を覆っている樹脂部を有していてよい。樹脂部は、電極端子に溶着されていてよい。より具体的には、封止栓は、電極端子の貫通孔の壁面に溶着されていてよい。封止栓は、貫通孔内に挿入される挿入部と、挿入部の端部に設けられており貫通孔よりもサイズが大きい拡張部を備えていてよい。拡張部が、電極端子のかしめ部に溶着されていてよい。樹脂部の材料は、ブチルゴム，パーフルオロアルコキシアルカン（ＰＦＡ），ポリテトラフルオロエチレン（ＰＴＦＥ），ポリプロピレン（ＰＰ）であってよい。金属部の材料は、銅，銅合金，ニッケルであってよい。特に、銅又は銅を含む複合材料または銅合金であることが好ましい。金属部の材料は、電極端子の材料を構成している元素と同じ元素を含んでいてよい。金属部と電極端子が、同一の材料であることがより好ましい。
【００１４】
本明細書で開示する蓄電装置の一例として、二次電池、キャパシタ等が挙げられる。二次電池の電極組立体の一例として、セパレータを介して対向する電極対（負極及び正極）を有するセルが複数積層された積層タイプの電極組立体、セパレータを介して対向する電極対を有するシート状のセルが渦巻状に加工された捲回型の電極組立体が挙げられる。
【００１５】
ケースの内部には、電極組立体，電解液が収容されている。電極組立体は、正極電極及び負極電極を備えている。正極電極用の金属箔として、アルミニウム（Ａｌ）、ニッケル（Ｎｉ）、チタン（Ｔｉ）、ステンレス鋼又はそれらの複合材料を用いることができる。特に、アルミニウム又はアルミニウムを含む複合材料であることが好ましい。また、正極リードの材料として、正極電極用の金属箔と同様の材料を用いることができる。
【００１６】
正極活物質は、リチウムイオンが侵入及び脱離可能な材料であればよく、Ｌｉ２ＭｎＯ３、Ｌｉ（ＮｉＣｏＭｎ）０．３３Ｏ２、Ｌｉ(ＮｉＭｎ)０．５Ｏ２、ＬｉＭｎ２Ｏ４、ＬｉＭｎＯ２、ＬｉＮｉＯ２、ＬｉＣｏＯ２、ＬｉＮｉ０．８Ｃｏ０．１５Ａｌ０．０５Ｏ２、Ｌｉ２ＭｎＯ２、ＬｉＭｎ２Ｏ４等を使用することができる。また、正極活物質としてリチウム、ナトリウム等のアルカリ金属、あるいは、硫黄などを用いることもできる。これらは１種単独で使用してもよいし、２種以上を併用して用いてもよい。正極活物質は、必要に応じて導電材，結着剤等とともに正極電極用の金属箔に塗布される。
【００１７】
負極電極用の金属箔として、アルミニウム、ニッケル、銅（Ｃｕ）等、又はそれらの複合材料等を使用することができる。特に、銅又は銅を含む複合材料であることが好ましい。また、負極リードの材料として、負極電極用の金属箔と同様の材料を用いることができる。
【００１８】
負極活物質として、リチウムイオンが侵入及び脱離可能な材料を用いる。リチウム（Ｌｉ）、ナトリウム（Ｎａ）等のアルカリ金属、アルカリ金属を含む遷移金属酸化物、天然黒鉛、メソカーボンマイクロビーズ、高配向性グラファイト、ハードカーボン、ソフトカーボン等の炭素材料、シリコン単体又はシリコン含有合金又はシリコン含有酸化物を使用することができる。なお、負極活物質は、電池容量を向上させるため、リチウム（Ｌｉ）を含まない材料であることが特に好ましい。負極活物質は、必要に応じて導電材，結着剤等とともに負極電極用の金属箔に塗布される。
【００１９】
セパレータは、絶縁性を有する多孔質を用いる。セパレータとして、ポリエチレン（ＰＥ）、ポリプロピレン（ＰＰ）等のポリオレフィン系樹脂からなる多孔質フィルム、あるいは、ポリプロピレン、ポリエチレンテレフタレート（ＰＥＴ）、メチルセルロース等からなる織布または不織布を使用することができる。
【００２０】
電解液は、非水系の溶媒に支持塩（電解質）を溶解させた非水電解液であることが好ましい。非水系の溶媒として、エチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）等の鎖状エステルを含んでいる溶媒、酢酸エチル、プロピロン酸メチルなどの溶媒、又はこれらの混合液を使用することができる。また、支持塩（電解質）として、例えば、ＬｉＰＦ６、ＬｉＢＦ４、ＬｉＡｓＦ６等を使用することができる。
【００２１】
本明細書で開示する蓄電装置は、例えば車両に搭載され、モータに電力を供給することができる。以下、蓄電装置の構造について説明する。以下の説明では、電流遮断装置が負極端子と負極電極の導通経路上に接続されている蓄電装置について説明する。本明細書で開示する技術は、電流遮断装置が正極端子と正極電極の導通経路上に接続されている蓄電装置に適用することもできる。
【実施例】
【００２２】
（第１実施例）
図１を参照し、蓄電装置１００の構造を説明する。蓄電装置１００は、ケース１と、電極組立体３と、正極端子５と、負極端子７と、電流遮断装置１０と、封止栓１５を備えている。ケース１は、金属製であり、略直方体形状である。ケース１の内部には、電極組立体３と電流遮断装置１０が収容されている。電極組立体３は、正極電極と負極電極を備えている（図示省略）。正極タブ４１が正極電極に固定されており、負極タブ４２が負極電極に固定されている。ケース１の内部には、電解液が注入されており、大気が除去されている。正極端子５と負極端子７は、ケース１の蓋部１ａに固定されている。正極端子５は、蓋部１ａの開口８１を介してケース１の内外に通じている。負極端子７は、蓋部１ａの開口８２を介してケース１の内外に通じている。正極端子５の材料はアルミニウムであり、負極端子７の材料は銅である。
【００２３】
蓋部１ａの上面には、樹脂製のインシュレータ６２、６３が配置されている。インシュレータ６２は正極端子５に固定されている。また、正極外部端子（金属プレート）６０が、インシュレータ６２の上面に配置されている。正極外部端子６０には、貫通孔６０ａが形成されている。貫通孔６０ａは、上面側に比べ、下面側のサイズが大きくなっている。インシュレータ６２は、蓋部１ａと正極外部端子６０を絶縁している。ボルト６４が、貫通孔６０ａを通過している。具体的には、ボルト６４の頭部が、貫通孔６０ａ内に収容されている。また、ボルト６４の軸部が、貫通孔６０ａを通って正極外部端子６０の上方に突出している。正極端子５，正極外部端子６０及びボルト６４は、電気的に接続されており、これらを合わせて正極端子と捉えることもできる。インシュレータ６３は、負極端子７に固定されている。負極外部端子６１が、インシュレータ６３の上面に配置されている。また、負極外部端子６１にも正極外部端子６０の貫通孔６０ａと同様の貫通孔が形成されており、貫通孔内にボルト６５の頭部が収容され、ボルト６５の軸部が貫通孔を通って負極外部端子６１の上方に突出している。インシュレータ６３，負極外部端子６１及びボルト６５の構成は、インシュレータ６２，正極外部端子６０及びボルト６４の構成と同様である。負極端子７，負極外部端子６１及びボルト６５は、電気的に接続されており、これらを合わせて負極端子と捉えることもできる。
【００２４】
電流遮断装置１０が、負極端子７に固定されている。負極タブ４２に接続されている負極リード４４が、接続端子４６を介して電流遮断装置１０に接続されている。すなわち、電流遮断装置１０は、電極組立体３の負極電極に電気的に接続されている。絶縁部材７３が、負極リード４４とケース１の間に配置されている。絶縁部材７３は、負極リード４４とケース１（蓋部１ａ）を絶縁している。正極タブ４１に接続されている正極リード４３が、正極端子５に接続されている。絶縁部材７２が、正極リード４３とケース１の間に配置されている。絶縁部材７２は、正極リード４３とケース１（蓋部１ａ）を絶縁している。正極端子５は、電極組立体３の正極電極に電気的に接続されている。
【００２５】
図２を参照し、負極端子７及び電流遮断装置１０の構造について説明する。図２に示すように、負極端子７は、ケース１にかしめ固定されている。負極外部端子６１及びガスケット６３は、負極端子７とともにケース１に固定されている。負極端子７は、基部９５と、柱状部９４と、かしめ部９６を備えている。柱状部９４が、基部９５とかしめ部９６を接続している。柱状部９４は、ケース１の開口８２を通過している。柱状部９４は、基部９５の中央部から伸びている。柱状部９４には、貫通孔９７が形成されている。基部９５の上面は、ケース１の蓋部１ａに沿って広がる平面を有している。基部９５の端部には下方（電極組立体３側）に突出する突出部９９が設けられている。すなわち、ケース１内から観察すると、基部９５の中央部に凹部９８が形成されており、凹部９８の中央部に貫通孔９７が形成されている。基部９５はケース１の内部に設けられており、かしめ部９６はケース１の外部に設けられている。
【００２６】
電流遮断装置１０は、負極端子７に固定されている。電流遮断装置１０は、通電板２０と、変形板３０と、ホルダ８０を備えている。変形板３０は、金属製のダイアフラムである。変形板３０の外周部３１は、基部９５の突出部９９に固定されている。具体的には、外周部３１は、突出部９９に溶接されている。変形板３０の中央部３２は、下方（電極組立体３側）に突出している。中央部３２は、通電板２０に接続されている。変形板３０によって、ケース１内の空間が凹部９８内の空間５１からシールされている。空間５１は大気圧に保たれている。
【００２７】
通電板２０は、金属製の平板である。通電板２０は、負極端子７の基部９５と間隔を有して基部９５に対向する位置に配置されている。通電板２０は、変形板３０の下方に配置されている。すなわち、通電板２０は、変形板３０と電極組立体３の間に配置されている。金属製の接続端子４６が、通電板２０に接続している。接続端子４６によって、通電板２０と負極リード４４が導通している（図１も参照）。通電板２０の端部２０ｅが、ホルダ８０に固定されている。通電板２０の中央部２０ｃには、溝２０ａが形成されている。溝２０ａは、中央部２０ｃの周囲を囲っている。変形板３０の中央部３２は、溝２０ａに囲まれた範囲で通電板２０の中央部２０ｃに固定されている。溝２０ａが形成された位置における通電板２０の機械的強度は、溝２０ａ以外の位置における通電板２０の機械的強度よりも低い。また、中央部２０ｃと端部２０ｅの間に、通気孔２０ｂが形成されている。通気孔２０ｂにより、変形板３０と通電板２０との間の空間５０は、ケース１内の空間と連通している。すなわち、空間５０は、ケース１内の圧力と等しい。空間５０が変形板３０によって空間５１からシールされているので、変形板３０の表裏面には圧力差が生じ得る。
【００２８】
ホルダ８０は、上端部７９と、中央部７８と、突出部７６を有している。上端部７９は、ケース１の蓋部１ａに沿って広がる平面を有している。上端部７９の中央に貫通孔７９ａが形成されている。負極端子７の柱状部９４は、貫通孔７９ａ内に設けられている。上端部７９は、ケース１の蓋部１ａと、負極端子７の基部９５の間に配置されている。ホルダ８０は、負極端子７とともに、ケース１に固定されている。ホルダ８０は、絶縁性を有する材料で形成されており、ケース１と負極端子７を絶縁している。
【００２９】
中央部７８は、上端部７９の外周縁から下方に伸びている。負極端子７の基部９５は、中央部７８の内側に配置されている。中央部７８の下方端に、突出部７６が設けられている。通電板２０は、突出部７６に固定されている。突出部７６の内面に、窪み７７が形成されている。窪み７７と、基部９５の突出部９９の外面と、通電板２０の表面の間に、シール部材７５が配置されている、シール部材７５によって、ホルダ８０の内面と負極端子７の外面の隙間がシールされている。
【００３０】
封止栓１５は、金属部１６と樹脂部１４を有している。封止栓１５は、貫通孔９７内に挿入されている。封止栓１５は、貫通孔９７に挿入されている挿入部１５ａと、貫通孔９７の外部に位置する拡張部１５ｂを備えている。拡張部１５ｂのサイズは、貫通孔９７のサイズより大きい。拡張部１５ｂは、負極端子７のかしめ部９６上に位置している。挿入部１５ａにおいて、樹脂部１４が貫通孔９７の壁面に溶着されている。また、拡張部１５ｂにおいて、樹脂部１４がかしめ部９６に溶着されている。さらに、拡張部１５ｂの金属部１６が、かしめ部９６に溶接されている。金属部１６の材料は銅であり、樹脂部１４の材料はＰＰである。
【００３１】
図３を参照し、封止栓１５について説明する。上記したように、封止栓１５は、金属部１６と樹脂部１４を有している。また、封止栓１５は、挿入部１５ａと拡張部１５ｂを備えている。樹脂部１４は、挿入部１５ａ及び拡張部１５ｂを備えた金属部１６の周囲を被覆している。すなわち、樹脂部１４は、金属部１６の表面に設けられており、金属部１６の表面を一巡している。具体的には、樹脂部１４は、挿入部１５ａにおける金属部１６の周囲（周面及び底面，図２も参照）と、拡張部１５ｂにおける金属部１６の下面を被覆している。そのため、封止栓１５を負極端子７の貫通孔９７に挿入しても、金属部１６の表面が貫通孔９７の外部に露出する。
【００３２】
なお、樹脂部が、拡張部１５ｂにおける金属部１６の下面のみを被覆し、挿入部１５ａを被覆していなくてもよい。この場合も、樹脂部は、金属部１５の表面を一巡しているといえる（図２及び図３を参照）。あるいは、樹脂部が、挿入部１５ａの周面のみを被覆し、拡張部１５ｂにおける金属部１６の下面を被覆していなくてもよい。この場合も、樹脂部は、金属部１５の表面を一巡しているといえる。また、樹脂部は、挿入部１５ａの底面を被覆していなくてもよい。すなわち、樹脂部が金属部１６と貫通孔９７の間をシールする構造であれば、樹脂部を設ける範囲は適宜選択することができる。封止栓１５のように樹脂部１４が挿入部１５ａの周囲と拡張部１５ｂの下面を被覆する構造は、金属部１６に樹脂部１４を被覆する製造工程が簡易であり、シール長を長く確報することができるという利点を有している。
【００３３】
蓄電装置１００は、ケース１内の圧力が所定値以下のときは、負極端子７と負極タブ４２が電流遮断装置１０を介して電気的に接続している。すなわち、負極端子７と負極電極の間が導通している。ケース１内の圧力が所定値を超えると、電流遮断装置１０が、負極端子７と負極タブ４２の導通を遮断し、蓄電装置１００に電流が流れることを防止する。具体的には、ケース１内の圧力が上昇すると、通電板２０及び変形板の下面に作用する圧力が上昇する。一方、変形板３０の上面には大気圧が作用する。このため、ケース１の内圧が上昇して所定値に達すると、変形板３０の中央部３２に接続されていた通電板２０が、機械的に脆弱な溝２０ａを起点に破断する。そして、変形板３０が反転して、上方に凸の状態に変化する。これによって、通電板２０と変形板３０を接続する通電経路が遮断され、電極組立体３（負極電極）と負極端子７とが非導通状態となる。
【００３４】
蓄電装置１００の利点を説明する。上記したように、封止栓１５は、金属部１６が樹脂部１４で被覆された構造を有する。金属は、樹脂と比較して、水分透過率が極めて小さい。そのため、封止栓１５を用いることにより、封止栓１５の内部を通過する水分量を少なくすることができる。蓄電装置１００の外部空間から空間５１内への水分の移動経路を確実に減少させることができる。また、金属部１６を樹脂部１４で被覆することにより、封止栓１５の樹脂部１４が、貫通孔９７と接する。封止栓１５と貫通孔９７の間に隙間が生じることを防止することができる。なお、金属部を樹脂部で被覆しない場合（金属のみで形成された封止栓の場合）、封止栓と貫通孔の隙間を塞ぐために、封止栓を貫通孔に溶接することが必要となる。溶接熱により、蓄電装置の他の部材に悪影響が生じることがあり得る。
【００３５】
また、封止栓１５の樹脂部１４は、貫通孔９７の壁面及びかしめ部９６に溶着されている。そのため、封止栓１５と負極端子７（貫通孔９７，かしめ部９６）が隙間なく密着しており、水分が外部空間から空間５１内に移動することを確実に防止することができる。また、また、金属部１６の表面が樹脂部１４から露出している。樹脂部１４を負極端子７に溶着する際に、金属部１６を加熱することにより、樹脂部１４を容易に溶融することができる。
【００３６】
金属部１６の材料と、負極端子７の材料が同一（銅）である。そのため、封止栓１５と負極端子７の接触部分において、金属腐食が生じることが抑制される。また、金属部１６を負極端子７の材料が同一であれば、両者の溶接を容易に行うことができる。
【００３７】
（第２実施例）
図４を参照し、蓄電装置２００について説明する。蓄電装置２００は、蓄電装置１００の変形例であり、電流遮断装置２１０の構造が蓄電装置１００の電流遮断装置１０と異なる。蓄電装置２００について、蓄電装置１００と同じ部品は、蓄電装置１００と同じ参照番号を付すことにより、説明を省略することがある。
【００３８】
電流遮断装置２１０は、変形板３０に加え、第２の変形板４０を備えている。以下の説明では、第１変形板３０，第２変形板４０と称する。第２変形板４０は、通電板２０に対して、第１変形板３０とは反対側に配置されている。すなわち、通電板２０は、第１変形板３０と第２変形板４０の間に配置されている。第２変形板４０の端部４０ｅが、通電板２０に固定されている。具体的には、第２変形板４０の端部４０ｅが、通電板２０の端部２０ｅに溶接されている。
【００３９】
第２変形板４０の通電板２０側には、絶縁性の突起４５が設けられている。突起４５は、第２変形板４０の中央部４０ｃに固定されており、通電板２０に向けて突出している。突起４５は、通電板２０の中央部２０ｃに対向している。より具体的には、突起４５が、通電板２０の溝２０ａで囲まれた範囲に対向している。
【００４０】
ケース１の内圧が所定値以下のときは、突起４５と通電板２０の間には隙間が設けられている。ケース１の内圧が所定値を超えると、第２変形板４０が、通電板２０に向かって変形する。すなわち、突起４５が、通電板２０の中央部２０ｃに向けて移動する。突起４５が通電板２０に接触し、通電板２０が溝２０ａを起点として破断する。通電板２０と第１変形板３０が非導通となり、負極端子７と負極電極が非導通になる（図１も参照）。なお、通電板２０と第１変形板３０の間の空間５０ａは、通気孔２０ｂを通じて、通電板２０と第２変形板４０の間の空間５０ｂと連通している。そのため、突起４５が通電板２０に向けて移動すると、空間５０ａの圧力が上昇し、第１変形板３０が上方に変形することができる。
【００４１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項に記載の組合せに限定されるものではない。また、本明細書または図面に例示した技術は複数の目的を同時に達成し得るものであり、そのうちの一つの目的を達成すること自体で技術的有用性を持つものである。
【符号の説明】
【００４２】
２：ケース
４：正極端子（接触防止構造）
１６：負極端子
２０：電流遮断装置
２４：電極組立体
１００：蓄電装置
【図１】
0006565491.tif 000002
【図２】
0006565491.tif 000003
【図３】
0006565491.tif 000004
【図４】
0006565491.tif 000005